(57)【要約】【課題】一日の冷蔵庫の使用パターンに応じて、冷蔵庫の使用頻度が低い時間帯に微細粒子除去手段を動作させることで、利便性を高めつつ常に清潔な冷蔵庫を提供することを目的とする。【解決手段】冷蔵室２と冷凍室３と野菜室４などの貯蔵室と、扉開閉計数手段９と、微細粒子除去手段１１と、計時手段１３と、記憶手段１４と、制御手段１５を備え、冷蔵庫の使用頻度が低い時間帯に微細粒子除去手段１１を動作させるので、利便性を高めつつ、冷蔵庫内の微細粒子を除去することができる。【選択図】図２
2015014398.tif 000002
【特許請求の範囲】
【請求項１】
冷凍室および冷蔵室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を入力する操作部と、前記微細粒子除去手段の動作を制御する制御手段を備え、前記制御手段は、前記計時手段と前記扉開閉計数手段との信号に基づいて前記冷蔵庫の使用頻度が低い時間帯に前記微細粒子除去手段を駆動する冷蔵庫。
【請求項２】
冷凍室および冷蔵室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を入力する操作部と、前記微細粒子除去手段の動作を制御する制御手段と、前記計時手段および前記扉開閉計数手段の検知信号を記憶する記憶手段を備え、前記記憶手段は、前記計時手段および前記扉開閉計数手段の信号に基づいて前記冷蔵庫の使用頻度が高い時間あるいは前記冷蔵庫の使用頻度が低い時間を記憶し、前記制御手段は、前記記憶手段の情報に基づいて前記冷蔵庫の使用頻度が低い時間帯は前記微細粒子除去手段を駆動し、前記冷蔵庫の使用頻度が高い時間帯は前記微細粒子除去手段の動作を停止する冷蔵庫。
【請求項３】
前記記憶手段は、前記冷蔵庫に通電後、所定時間ごとの前記計時手段および前記扉開閉計数手段の検知信号を記憶する請求項２に記載の冷蔵庫。
【請求項４】
前記制御手段は、使用者が前記操作部から予め入力した前記冷蔵庫の使用時間帯の情報に基づいて、前記冷蔵庫の使用頻度が低い時間帯に前記微細粒子除去手段を駆動させる請求項１または２に記載の冷蔵庫。
【請求項５】
前記制御手段は、前記冷蔵庫に通電後少なくとも所定時間は前記微細粒子除去手段を連続駆動させ、その後は前記記憶手段または前記操作部から入力された前記冷蔵庫の使用時間帯の情報に基づいて、前記冷蔵庫の使用頻度が低い時間帯に前記微細粒子除去手段を駆動させる請求項１から４のいずれか一項に記載の冷蔵庫。
【発明の詳細な説明】
【技術分野】
【０００１】
本発明は、庫内を衛生的に保ち食品鮮度を長期間保持する冷蔵庫に関するものである。
【背景技術】
【０００２】
従来、この種の装置には、冷蔵庫の扉が開いたことを検出した時にマイナスイオン発生器をオンする制御を行い、雑菌が外気と共に入り込みやすい期間だけマイナスイオン発生器を作動させて雑菌を死滅させることで電気代を抑え、またマイナスイオン発生器の実質寿命を延ばす冷蔵庫がある（例えば、特許文献１参照）。
【０００３】
また、光検知手段を庫外に配設し、庫外の明るさが所定照度以下であると検知した時のみオゾン発生器によりオゾン化された冷却空気を庫内ファンにより冷蔵室内で循環させ、有効内容を確保しつつ脱臭、殺菌を行い、開扉時のオゾン臭の庫外への漏れを最小限に抑える冷蔵庫がある（例えば、特許文献２参照）。
【先行技術文献】
【特許文献】
【０００４】
【特許文献１】特開２００４−３３３１０１号公報
【特許文献２】特開昭６３−２６７８７４号公報
【発明の概要】
【発明が解決しようとする課題】
【０００５】
しかしながら、前記特許文献１の構成は、冷蔵室と、マイナスイオン発生器と、冷蔵室扉、冷蔵室扉スイッチ、制御装置を備え、扉スイッチの入力から扉が開状態になったことを検知するとマイナスイオン発生器を一定時間（例えば、１０分間）オンさせる。一方、扉スイッチの入力から扉が閉状態になったことを検知すると閉状態の時間を計測し、閉状態が所定時間以上になるとマイナスイオン発生器を１０分間作動させ続ける。扉が開いたときにマイナスイオン発生器を作動させることで外気と共に庫内に侵入する雑菌、カビ等を除去し、扉が閉まってから一定時間マイナスイオン発生器を作動させるので、雑菌、カビ等が庫内に残っていてもマイナスイオンにより除去でき、かつ連続運転に比べ電気代を抑え、マイナスイオン発生器の実質寿命を延ばすものである。しかし、扉が開いたときにマイナスイオン発生器を作動させたとしても外気に含まれる雑菌やカビを除去することは困難であり、また扉が閉まってから所定時間（例えば、１０分間）作動させたとしても、庫内の雑菌やカビを除去するには作動時間が短すぎるという課題がある。また、冷蔵庫の特性に即して動作タイマーの時間の長短変更が可能との記載があるが、一般の使用者が冷蔵庫の特性を把握することは難しく、そのうえ冷蔵庫の特性に即したタイマー時間を推定、対応することは困難である。
【０００６】
また、前記特許文献２の構成は、冷蔵室と、冷蔵室へ通じる通風路と、通風に支持枠で内箱に固定して配設された平板状のオゾン発生器と、光検知手段と、タイマーを備え、光検知手段が庫外の明るさが所定照度以下であると検知すると夜間あるいは外出時と判断し、閉扉状態が続く夜間のみオゾン発生器を所定時間間欠運転させることで、庫内の有効内容積を減ずることなく、脱臭、殺菌ができるものである。しかし現在ではライフスタイルが多岐にわたっており、必ずしも昼間に冷蔵庫を頻繁に使用し、夜間の使用頻度が低いとは限らない。そのため、脱臭、殺菌動作のタイミングが使用者の生活パターンに合わず、十分な効果が得られない問題がある。
【０００７】
本発明は、前記従来の課題を解決するもので、一日の冷蔵庫使用パターンに対応して、
冷蔵庫の使用頻度が低い時間帯に閉扉状態で微細粒子除去手段を動作させることにより、利便性を高めつつ、効率良く微細粒子を除去し冷蔵庫内が常に清潔な冷蔵庫を提供することを目的とする。
【課題を解決するための手段】
【０００８】
前記従来の課題を解決するために、本発明の冷蔵庫は、冷蔵室および冷凍室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を入力する操作部と、前記微細粒子除去手段の動作を制御する制御手段を備え、前記制御手段は前記冷蔵庫の使用頻度が低い時間帯に前記微細粒子除去手段を駆動するものである。
【０００９】
これによって、冷蔵庫の扉の開閉動作が行われない時間帯に微細粒子除去手段を駆動させるので、外気の混入がなく効率良く冷蔵庫内の微細粒子を除去することができる。
【００１０】
また、本発明の冷蔵庫は、冷凍室および冷蔵室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を入力する操作部と、前記微細粒子除去手段の動作を制御する制御手段と、前記計時手段および前記扉開閉計数手段の検知信号を記憶する記憶手段を備え、前記記憶手段は、前記計時手段および前記扉開閉計数手段の信号に基づいて前記冷蔵庫の使用頻度が高い時間あるいは前記冷蔵庫の使用頻度が低い時間を記憶し、前記制御手段は、前記記憶手段の情報に基づいて前記冷蔵庫の使用頻度が低い時間帯は前記微細粒子除去手段を駆動し、前記冷蔵庫の使用頻度が高い時間帯は前記微細粒子除去手段の動作を停止するものである。
【００１１】
これによって、記憶手段が記憶する一日の冷蔵庫使用パターンに基づいて前記微細粒子除去手段の動作を制御できるので、幅広い生活パターンに対応でき利便性を高めることができる。
【発明の効果】
【００１２】
本発明の冷蔵庫は、一日の冷蔵庫使用パターンに対応して、冷蔵庫の使用頻度が低い時間帯に閉扉状態で微細粒子除去手段を動作させることにより、利便性を高めつつ、効率良く微細粒子を除去し常に冷蔵庫内を清潔に保つことができる。
【図面の簡単な説明】
【００１３】
【図１】本発明の第１の実施の形態における冷蔵庫の外観図
【図２】同実施の形態の冷蔵庫の断面図
【図３】同実施の形態の冷蔵庫の主要部品のブロック図
【図４】同実施の形態の冷蔵庫の制御フローチャート
【図５】同実施の形態の冷蔵庫の制御フローチャート
【図６】同実施の形態の冷蔵庫の動作概要の一例を示す図
【図７】同実施の形態の冷蔵庫の動作概要の一例を示す図
【発明を実施するための形態】
【００１４】
第１の発明は、冷凍室および冷蔵室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を竜力する操作部と、前記微細粒子除去手段の動作を制御する制御手段を備え、前記制御手段は前記冷蔵庫の使用頻度が低い時間帯、つまり冷蔵庫の扉の開閉動作が
行われない時間帯に微細粒子除去手段を駆動させるので、外気の混入がなく効率良く冷蔵庫内の微細粒子を除去することができる。
【００１５】
第２の発明は、冷凍室および冷蔵室を備えた冷蔵庫において、前記冷蔵庫の動作時間を計測する計時手段と、前記冷蔵庫の扉部の開閉回数を計数する扉開閉計数手段と、前記冷凍室および／または前記冷蔵室中の微細粒子を除去するための微細粒子除去手段と、前記冷蔵庫の動作を入力する操作部と、前記微細粒子除去手段の動作を制御する制御手段と、前記計時手段および前記扉開閉計数手段の検知信号を記憶する記憶手段を備え、前記記憶手段は前記計時手段および前記扉開閉計数手段の信号に基づいて前記冷蔵庫の使用頻度が高い時間あるいは前記冷蔵庫の使用頻度が低い時間を記憶し、前記制御手段は、前記記憶手段の情報に基づいて前記冷蔵庫の使用頻度が低い時間帯は前記微細粒子除去手段を駆動し、前記冷蔵庫の使用頻度が高い時間帯は前記微細粒子除去手段の動作を停止することにより、記憶手段が記憶する一日の冷蔵庫使用パターンに基づいて前記微細粒子除去手段の動作を制御できるので、幅広い生活パターンに対応でき利便性を高めることができる。
【００１６】
第３の発明は、第２の発明において、前記記憶手段は、前記冷蔵庫に通電後、所定時間ごとの前記計時手段および前記扉開閉計数手段の検知信号を記憶することにより、前記制御手段が前記微細粒子除去手段の動作を制御するための動作データを取得し、速やかに前記微細粒子除去手段の制御に移行することができる。
【００１７】
第４の発明は、第１または第２の発明において、前記制御手段は、使用者が前記操作部から予め入力した前記冷蔵庫の使用時間帯の情報に基づいて、前記冷蔵庫の使用頻度が低い時間帯に前記微細粒子除去手段を駆動させることにより、効率良く冷蔵庫内の微細粒子を除去することができる。
【００１８】
第５の発明は、第１から第４のいずれかの発明において、前記制御手段は、前記冷蔵庫に通電後少なくとも所定時間は前記微細粒子除去手段を連続駆動させ、その後は前記記憶手段または前記操作部から入力された前記冷蔵庫の使用時間帯の情報に基づいて、前記冷蔵庫の使用頻度が低い時間帯に前記微細粒子除去手段を駆動させることにより、使用開始時は冷蔵庫内に残留した微細粒子を除去して清潔にし、その後は入力電力を省力化することができる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における冷蔵庫の外観図、図２は図１の冷蔵庫の概略構成を示すものであり、図３は図１の冷蔵庫の主要部品のブロック図、図４は図１の冷蔵庫の制御フローチャート、図５は図４の冷蔵庫の制御フローチャートの続き、図６および図７は図１の冷蔵庫の動作概要の一例を示す図である。
【００２１】
図１〜３において、冷蔵庫１には、冷蔵室２、冷凍室３、野菜室４、温度切換室５、製氷室６などの貯蔵室が配設され、それぞれ冷蔵室扉２ａ、冷凍室扉３ａ、野菜室扉４ａを有している。冷蔵室２、冷凍室３、野菜室４は、冷蔵庫１の適所に設けられた圧縮機、蒸発器、凝縮器が順次接続される冷凍サイクルおよび冷気循環用ファンモータ（それぞれ図示していない）によって、冷却されるようになっている。
【００２２】
冷蔵室扉２ａには、表示部７、操作部８が配設される。使用者は、操作部８から各室の温度切換え、運転モード、制御モードなどを設定できる。操作部８内部には冷蔵室扉２ａや冷凍室扉３ａの開閉回数を計測する扉開閉計数手段９と、運転モードや制御モードの状
態を報知する報知手段１０が配設される。扉開閉計数手段９は、ドアスイッチ（ドアセンサ）、カウンタ（それぞれ図示していない）等から構成される。報知手段１０の報知方法には、音や光などを利用することができる。
【００２３】
微細粒子除去手段１１は、冷蔵室２内の通風経路１２中に配設され、冷蔵庫１内を循環する冷気が通過する際に冷気中の微細粒子を除去する。微細粒子除去手段１１は、例えば光源（紫外縁ＬＥＤ、可視光ＬＥＤなど）、マイナスイオン発生器、光源と触媒を組み合わせたデバイスや、通電フィルタ、電磁波利用デバイスなどを採用することができる。本実施の形態において、微細粒子は細菌・真菌・ウィルスなどの微生物、塵埃、臭気成分等を含んだ物質の総称とする。
【００２４】
計時手段１３は、時計やタイマー、カウンタ（それぞれ図示していない）等から構成され、現在時間や微細粒子除去手段１１の動作時間、また扉開閉計数手段９と連動し貯蔵室の開扉時刻や閉扉時刻を計測する。記憶手段１４は、操作部８から入力された動作情報、扉開閉計数手段９、計時手段１３からの信号を記憶する。
【００２５】
制御手段１５は、操作部８、扉開閉計数手段９、計時手段１３の信号の受信、記憶手段１４の情報管理と、報知手段１０、微細粒子除去手段１１および冷凍サイクル、冷気循環用ファンモータの動作制御を行なう。
【００２６】
上記構成からなる冷蔵庫について、以下その動作、作用を図４、図５を用いて説明する。
【００２７】
図４、図５において、使用者は操作部８より各室の温度を設定し、表示部７や報知手段１０から冷蔵庫の運転モードや制御モード（例えば、省エネモードなど）を確認後、食品を保存する。ドアスイッチ（ドアセンサ）は冷蔵室扉２ａ、冷凍室扉３ａ、野菜室扉４ａの開閉動作を検知し、カウンタが各室の扉の開閉回数を計数し、扉開閉計数手段９は各室の扉の開閉回数信号を制御手段１５に送信する。
【００２８】
冷蔵庫１の各貯蔵室に食品を投入し、使用者は操作部８のスイッチ等から計時手段１３の動作を開始する。計時手段１３は、現在時刻と各手段の動作の開始時刻や終了時刻、経過時間等を計測する。同時に、使用パターン解析用に２４時間を計測する。
【００２９】
微細粒子除去手段１１は、冷蔵庫１内の空気に含まれる微細粒子を除去し清潔な状態に保つことにより、食品の保存期間を延ばすものである。微細粒子除去手段１１の主な除去方法の一例としては、細菌、真菌、ウィルスは紫外線ＬＥＤ、可視光ＬＥＤと光触媒の併用、パルス殺菌による除去方法、塵埃は通電フィルタを代表とする電荷を利用した除去方法、臭気成分は可視光ＬＥＤと光触媒の併用による分解脱臭方法などが採用できる。なお、エアフィルタ（ＨＥＰＡフィルタなど）は通電を利用しない徐塵方法であるため、本実施の形態では使用していない。
【００３０】
微細粒子除去手段１１は、筒状の外郭１１ａに収納された状態で通風経路１２内に配設される。冷蔵庫１の空気は通風経路１２を経由し、筒状の外郭１１ａ内部を通過する際に微細粒子除去手段１１により微細粒子を除去され、清浄空気として吹出され冷蔵庫１内を循環する。
【００３１】
微細粒子除去手段１１に紫外線ＬＥＤや、可視光ＬＥＤと光触媒を組み合わせた手段を利用する場合、通風経路１２の風速は微細粒子の除去性能に対する重要因子となる。例えば、風速が大きい場合は微細粒子が微細粒子除去手段１１と接触する時間が短くなるため、除去性能が低くなる可能性がある。この場合の対応策としては、冷蔵庫１内の空気を通
風経路１２に通過させる回数を増やすことなどが考えられる。一方、風速が小さい場合は通風経路１２を通過する１回当たりの空気の量が少ないため、冷蔵庫１容積相当の空気を通風経路１２に通過させるためには、風速が大きい場合よりも微細粒子除去手段１１の駆動時間を長くする必要がある。
【００３２】
冷蔵庫１と同体積の空気が通風経路１２を通過するための所要時間は、通風経路１２の断面積と風速との相関で求められる。冷蔵庫１を頻繁に使用する条件下では、微細粒子除去手段１１を駆動して冷蔵室２、冷凍室３、野菜室４の微細粒子を除去しても、冷蔵室扉２ａ、冷凍室扉３ａ、野菜室扉４ａを開けることで微細粒子を含んだ外気が冷蔵庫１内に流入するため、微細粒子の除去効果は結果的に低くなる。これらの現象を鑑み、扉開閉が少なく外気流入が少ない、つまり冷蔵庫１の使用がない時間帯に微細粒子除去手段１１を駆動させて冷蔵庫１内の微細粒子の除去効果を高めるものである。報知手段１０は、微細粒子除去手段１１が運転状態のときにＬＥＤ照明が点灯し、運転中であることを使用者に明示し認識させる。報知手段１０で運転状態を明示することにより、微細粒子除去手段１１の運転中は使用者が冷蔵庫１の各室の扉の開閉回数を抑える啓蒙効果が期待できるため、効率よく冷蔵庫内の微細粒子を除去することができる。
【００３３】
ここで、図４を用いて冷蔵庫の各手段の制御の流れを説明する。使用者が冷蔵庫１に通電すると（Ｓ１０１）、制御手段１５は計時手段１３の動作を開始し（Ｓ１０２）、同時に扉開閉計数手段９（Ｓ１０３）、微細粒子除去手段１１（Ｓ１０４）、記憶手段１４（Ｓ１０５）の動作を開始する。このとき、微細粒子除去手段１１は連続動作させるものとする。
【００３４】
所定時間経過後、ステップＳ１０６において記憶手段１４に扉開閉回数と時刻が記録されていない場合は、ステップＳ１０５に戻り扉開閉回数と時刻の記録作業をやり直す。一方、ステップＳ１０６において記憶手段１４に扉開閉回数と時刻が記録されていると確認できた場合はステップＳ１０７に進む。
【００３５】
ステップＳ１０７において、計時手段１３は通電後２４時間経過したことを検知すると、制御手段１５に検知信号を送信する。制御手段１５は計時手段１３の信号を受信すると、通電後２４時間内における各時間帯での扉開閉計数手段９の扉開閉回数を抽出し（ステップＳ１０８）、冷蔵庫の使用パターンを判定するステップＳ１０９へ進む。
【００３６】
ステップＳ１０８およびステップＳ１０９では、制御手段１５は扉開閉回数が多い時刻と扉開閉回数が少ない時刻を抽出し、一日における冷蔵庫１の使用パターンを推定する。つまり扉開閉回数が多い時間帯を冷蔵庫１の使用頻度が高い時間帯、扉開閉回数が少ない時間帯を冷蔵庫１の使用頻度が低い時間帯であると判定する。
【００３７】
ここで、扉開閉計数手段９の動作の一例について説明する。ドアスイッチ（ドアセンサ）の電気信号に基づいて、扉開閉計数手段９は所定時間（例えば１０分間）に冷蔵室扉２ａ、冷凍室扉３ａ、野菜室扉４ａが開閉された累積回数を計数する。制御手段１５は扉開閉計数手段９の計数信号に基づき、開閉動作回数が所定時間内に所定値（例えば１０回）以上であれば冷蔵庫１の使用頻度は高いと推定し、開閉動作回数が所定値未満であれば冷蔵庫１の使用頻度は少ないと推定する。ステップＳ１０９で冷蔵庫１の使用パターンを判定後、制御手段１５は使用パターン、つまり冷蔵庫１の使用頻度の高い時間帯を記憶手段１４に記録させ（ステップＳ１１０）、次に微細粒子除去手段１１の動作の有無を判定するステップＳ１１１に進む。
【００３８】
ステップＳ１１１を経過後、制御手段１５は計時手段１３と連動して冷蔵庫の使用頻度が高い時間帯か低い時間帯かを判定し、微細粒子除去手段１１の動作の有無を判定する（
ステップＳ１１２）。冷蔵庫１の使用頻度が高い時間帯と判定すると制御手段１５は微細粒子除去手段１１の動作を停止し（Ｓ１１３）、一方、冷蔵庫の使用頻度が少ない時間と判断すると制御手段１５は微細粒子除去手段１１を駆動させる（Ｓ１１４）。ステップＳ１１３あるいはステップＳ１１４の動作が所定時間を経過すると（Ｓ１１５）、再び微細粒子除去手段１１の駆動判断（Ｓ１１１）に戻る。以降は前述のステップＳ１１１〜ステップＳ１１５の各ステップを繰り返す。
【００３９】
次に、扉開閉計数手段９および計時手段１３の動作から冷蔵庫１の使用パターンの例を図６〜７を用いて簡単に説明する。
【００４０】
図６は冷蔵庫１を主に昼間使用する場合、例えば主に一般家庭の使用パターンとして考えられる。図７は冷蔵庫１を主に昼〜夜間使用する場合、例えば主に飲食店などの使用パターンとして考えられる。
【００４１】
図６において、調理開始から扉開閉計数手段９の扉開閉回数は徐々に上昇し、所定値αに達する。扉開閉回数が所定値αに達してから所定時間が経過すると、扉開閉回数は徐々に減少する。その後、短時間、扉開閉回数が所定値αに達するが、これは片付け時に冷蔵庫１に食品を再度収納することを示す。これらの動作傾向をまとめて使用頻度の高い時間帯とする。本実施の形態では、使用頻度の高い時間帯は６〜９時、１２〜１４時、１８〜２１時であった。
【００４２】
図７において、調理準備から調理中も各室の扉の開閉回数は変化がないため、調理開始から扉開閉計数手段９は所定値αを維持する。また、店舗などは必要分しか調理しないため、片付け時に食品を再度収納することもないため、安定した開閉動作を示すものである。本実施の形態では、使用頻度の高い時間帯は９〜２３時であった。
【００４３】
図７のように、冷蔵庫１の使用頻度が少ない時間帯が短く微細粒子が十分に除去できないと判断した場合は、制御手段１５は冷蔵庫１内の微細粒子が効率良く除去できるように微細粒子除去手段１１の動作出力を大きくする制御を行なう。
【００４４】
以上のように、本実施の形態の冷蔵庫は一日の使用頻度の低い時間帯に閉扉状態で微細粒子除去手段を動作させることにより、利便性を高めながら冷蔵庫内の微細粒子を除去することができるので、常に清潔な冷蔵庫を提供することができる。
【００４５】
図６、図７において、本実施の形態では使用頻度が低い時間帯は所定値βで示した。
【００４６】
なお、操作部８に微細粒子除去手段１１の操作ボタンを配設し、操作ボタンを介して冷蔵庫の使用中でも使用者が所望する際に微細粒子除去手段１１を駆動させることも可能である。また、冷蔵庫１の使用パターン推定は、操作部８からの入力信号から任意の時間から開始させることも可能である。このとき、操作ボタン等の配設位置は操作部８に限定するものではない。
【００４７】
さらに、本実施の形態では報知手段１０はＬＥＤランプを使用し点灯することで使用者への報知を行ったが、報知方法は文字表示（液晶、透過光表示など）や音声などを用いても構わない。
【００４８】
これらのように、本実施の形態において一日の冷蔵庫使用パターンに対応して、冷蔵庫の使用頻度が低い時間帯に閉扉状態で微細粒子除去手段を動作させることにより、利便性を高めつつ、効率良く微細粒子を除去し常に清潔な冷蔵庫を提供することができる。
【産業上の利用可能性】
【００４９】
以上のように、本発明にかかる冷蔵庫は、冷蔵庫の使用頻度が低い時間帯に閉扉状態で微細粒子除去手段を動作させることにより、利便性を高めつつ、効率良く微細粒子を除去することができるので、冷蔵庫を常に清潔に保つことが可能となり、各種保存庫の用途に適用できる。
【符号の説明】
【００５０】
１  冷蔵庫
２  冷蔵室
２ａ  冷蔵室扉
３  冷凍室
３ａ  冷凍室扉
４  野菜室
４ａ  野菜室扉
５  温度切換室
６  製氷室
８  操作部
９  扉開閉計数手段
１０  報知手段
１１  微細粒子除去手段
１２  通風経路
１３  計時手段
１４  記憶手段
１５  制御手段
【図１】
2015014398.tif 000003
【図２】
2015014398.tif 000004
【図３】
2015014398.tif 000005
【図４】
2015014398.tif 000006
【図５】
2015014398.tif 000007
【図６】
2015014398.tif 000008
【図７】
2015014398.tif 000009